(57)【要約】少なくとも２つの浮体式洋上風力タービン１を動作させる方法を開示する。風力タービン１は、それぞれの第１の動作位置７において動作し、各風力タービン１における従前の及び／又は将来的に予期される摩耗作用が推定される。推定された摩耗作用に基づいて、それぞれの第２の動作位置９に移転すべき少なくとも１つの風力タービン１が特定される。特定された風力タービン１は、それぞれの第２の動作位置９に移動され、そこで動作する。【選択図】図４
2021527777.tif 000002
【特許請求の範囲】
【請求項１】
少なくとも２つの浮体式洋上風力タービン（１）を動作させる方法であって、各風力タービン（１）は、それぞれの第１の動作位置（７）において係留機構（３）に接続され、該方法は、
前記風力タービン（１）をそれぞれの第１の動作位置（７）において動作させるステップと、
前記風力タービン（１）のそれぞれについて、該風力タービン（１）における従前の及び／又は将来的に予期される摩耗作用を推定するステップと、
前記推定された摩耗作用に基づいて、それぞれの第２の動作位置（９）に移転すべき少なくとも１つの風力タービン（１）を特定するステップと、
特定された各風力タービン（１）を第１の動作位置（７）の前記係留機構（３）から分離するステップと、
特定された各風力タービン（１）をそれぞれの第１の動作位置（７）からそれぞれの第２の動作位置（９）に移動させるステップと、
特定された各風力タービン（１）を、それぞれの第２の動作位置（９）における係留機構（３）に接続するステップと、
前記風力タービン（１）を前記それぞれの第２の動作位置（９）において動作させるステップと、
を含む、方法。
【請求項２】
前記風力タービン（１）のそれぞれにおける従前の及び／又は将来的に予期される摩耗作用を推定するステップは、主要な風向に対する前記風力タービン（１）の前記動作位置（７、９）の場所に基づく、請求項１に記載の方法。
【請求項３】
前記風力タービン（１）のそれぞれにおける従前の及び／又は将来的に予期される摩耗作用を推定するステップは、前記風力タービン（１）のそれぞれの生涯使用量を推定することを含む、請求項１又は２に記載の方法。
【請求項４】
従前の及び／又は将来的に予期される摩耗作用を推定するステップは、気象条件及び／又は海洋条件をモデリングすることと、該モデリングに基づいて、将来的に予期される摩耗作用を推定することとを含む、請求項１〜３のいずれか１項に記載の方法。
【請求項５】
従前の及び／又は将来的に予期される摩耗作用を推定するステップは、前記それぞれの第１の動作位置（７）及び／又は前記それぞれの第２の動作位置（９）において得られるセンサーデータに基づいて実行される、請求項１〜４のいずれか１項に記載の方法。
【請求項６】
少なくとも１つの風力タービン（１）を特定するステップは、高い摩耗作用を受ける少なくとも１つの風力タービン（１）を特定することを含み、特定された各風力タービン（１）を移動させるステップは、高い摩耗作用を有する前記少なくとも１つの風力タービン（１）を、将来的に予期される摩耗作用が前記風力タービン（１）の前記第１の動作位置（７）において将来的に予期される摩耗作用よりも低い第２の動作位置（９）に移動させることを含む、請求項１〜５のいずれか１項に記載の方法。
【請求項７】
少なくとも１つの風力タービン（１）を特定するステップは、低い摩耗作用を有する少なくとも１つの風力タービン（１）を特定することを含み、特定された各風力タービン（１）を移動させるステップは、低い摩耗作用を有する前記少なくとも１つの風力タービン（１）を、将来的に予期される摩耗作用が前記風力タービン（１）の前記第１の動作位置（７）において将来的に予期される摩耗作用よりも高い第２の動作位置（９）に移動させることを含む、請求項１〜５のいずれか１項に記載の方法。
【請求項８】
少なくとも１つの風力タービン（１）におけるメンテナンスを行うステップ、及び／又は少なくとも１つの風力タービン（１）の少なくとも１つのコンポーネントを交換若しくはアップグレードするステップを更に含む、請求項１〜７のいずれか１項に記載の方法。
【請求項９】
メンテナンスを行うステップ及び／又は少なくとも１つのコンポーネントを交換若しくはアップグレードするステップは、前記風力タービン（１）をそれぞれの第１の動作位置（７）において動作させるステップの後、かつ前記風力タービン（１）をそれぞれの第２の動作位置（９）において動作させるステップの前に実行される、請求項８に記載の方法。
【請求項１０】
少なくとも１つの風力タービン（１）の前記それぞれの第２の動作位置（９）は、別の風力タービン（９）のそれぞれの第１の動作位置（７）である、請求項１〜９のいずれか１項に記載の方法。
【請求項１１】
少なくとも１つの風力タービン（１）をそれぞれの第２の動作位置（９）の前記係留機構（３）から分離するステップと、
前記風力タービン（１）をそれぞれの第２の動作位置（９）からそれぞれの第３の動作位置に移動させるステップと、
前記風力タービン（１）を前記それぞれの第３の動作位置における係留機構（３）に接続するステップと、
前記風力タービン（１）を前記それぞれの第３の動作位置において動作させるステップと、
を更に含む、請求項１〜１０のいずれか１項に記載の方法。
【請求項１２】
前記風力タービン（１）における従前の及び／又は将来的に予期される摩耗作用を推定するステップは、津波、台風、前記風力タービン（１）のコンポーネントの故障、火山性粒子の衝突イベント、及び移動する鳥又は昆虫の衝突イベントの群から選択される非常イベントが生じた後に実行される、請求項１〜１１のいずれか１項に記載の方法。
【請求項１３】
前記第１の動作位置は、第１のウィンドファーム内にあり、前記第２の動作位置は、前記浮体式風力タービン（１）のうちの少なくとも１つの前記第１のウィンドファームとは異なる第２のウィンドファーム内にある、請求項１〜１２のいずれか１項に記載の方法。
【発明の詳細な説明】
【技術分野】
【０００１】
本発明は、少なくとも２つの浮体式洋上風力タービンを動作させる方法に関する。風力タービンは、風力タービンのそれぞれの寿命の向上及び／又は電力生産量の向上をもたらすように動作する。
【背景技術】
【０００２】
風力タービンがウィンドファームに配置される場合、風力タービンにおける摩耗作用は、ウィンドファームの中でもばらつきが出る可能性がある。例えば、ウィンドファームの境界付近に配置された風力タービンは、ウィンドファームの中央部に配置された風力タービンよりも高い負荷及び／又は高い摩耗作用を受ける可能性がある。なぜなら、ウィンドファームの中央部に配置された風力タービンは、他の風力タービンの後流に配置されるからである。更に、ウィンドファームの境界に沿って配置されている、優勢な風向に面する風力タービンは、ウィンドファームの他の風力タービンよりも高い摩耗作用を受ける可能性がある。
【０００３】
したがって、ウィンドファームの風力タービンのうちのいくつかが、設計寿命を迎えるよりもかなり前に損耗し得る一方で、ウィンドファームの他の風力タービンが設計寿命を超過する場合がある。
【０００４】
特許文献１は、複数の風力タービンを含む浮体式洋上ウィンドファームを開示している。可動係留機構が、風力タービンの相対位置を維持しながら、風力タービンを海底に係留する。係留ケーブルの端部は、係留ケーブルの張力を変化させる駆動装置として用いられる巻取り装置に巻き付けられる。それにより、別のローターの後流に入るローターの総数を低減するために、風力タービンの相対位置を風向に応じて変更することができる。
【０００５】
特許文献２は、浮体式風力タービン発電装置のメンテナンスを行う方法を開示している。風力タービンが、係留索によって係留位置に係留された浮体上に配置される。係留索は、風力タービンの浮体から分離され、係留位置からメンテナンス位置に移送される。別の風力タービンが、係留位置に移送され、係留索に接続される。
【先行技術文献】
【特許文献】
【０００６】
【特許文献１】欧州特許出願公開第２２６７２９７号明細書
【特許文献２】欧州特許第２９３３１８１号明細書
【発明の概要】
【発明が解決しようとする課題】
【０００７】
本発明の実施形態の目的は、風力タービンのそれぞれの電力生産量の向上及び／又は寿命の向上を確実にするように、少なくとも２つの浮体式洋上風力タービンを動作させる方法を提供することである。
【課題を解決するための手段】
【０００８】
本発明は、少なくとも２つの浮体式洋上風力タービンを動作させる方法であって、各風力タービンは、それぞれの第１の動作位置において係留機構に接続され、本方法は、
風力タービンをそれぞれの第１の動作位置において動作させるステップと、
風力タービンのそれぞれについて、風力タービンにおける従前の及び／又は将来的に予期される摩耗作用を推定するステップと、
推定された摩耗作用に基づいて、それぞれの第２の動作位置に移転すべき少なくとも１つの風力タービンを特定するステップと、
特定された各風力タービンを第１の動作位置の係留機構から分離するステップと、特定された各風力タービンをそれぞれの第１の動作位置からそれぞれの第２の動作位置に移動させるステップと、
特定された各風力タービンを、それぞれの第２の動作位置における係留機構に接続するステップと、
風力タービンをそれぞれの第２の動作位置において動作させるステップと、
を含む、方法を提供する。
【０００９】
したがって、本発明は、少なくとも２つの浮体式洋上風力タービンを動作させる方法に関する。本件において、「浮体式洋上風力タービン」という用語は、洋上用地、例えば海上に位置するとともに、海底に固定される基礎ではなく浮体式基礎に取り付けられる風力タービンを意味するように解釈すべきである。
【００１０】
各風力タービンは、それぞれの第１の動作位置において係留機構に接続される。本件では、「係留機構」という用語は、一端部が、海底に固定された錨又は基礎に接続され、別の端部が、風力タービンの浮体式基礎に接続される１つ以上の係留索を備える機構を意味するように解釈すべきである。
【００１１】
最初に、風力タービンは、それぞれの第１の動作位置において動作する。それぞれの第１の動作位置は、互いに対する固定位置に配置され、この固定位置は、係留機構の位置によって規定される。それにより、風力タービン自体も、係留索の長さ又は張力の変更によって限られた位置の変更が可能であるものの、互いに対する固定位置に配置される。風力タービンの動作時、風力タービンは、通常、風力タービンブレードによって風力エネルギーを引き出し、風力エネルギーを電気エネルギーに変換することで、電力を生産し、電力は電力網に供給される。
【００１２】
風力タービンのそれぞれの第１の動作位置における動作中、風力タービンにおける従前の及び／又は将来的に予期される摩耗作用が、風力タービンのそれぞれについて推定される。それぞれの風力タービンに対する摩耗作用は、風力タービンのそれぞれの第１の動作位置を考慮に入れながら推定される。上述したように、風力タービンにおける負荷及び摩耗は、その風力タービンの近傍に位置する他の風力タービンに対しての、この風力タービンの位置に左右される。例えば、到来する風の主要な方向に配置された風力タービンは、通常、他の風力タービンの後流に配置された風力タービンよりも高い負荷及び多くの摩耗を受ける。同様に、他の風力タービンの後流にある風力タービンは、空気流を受ける中でより多くの乱流を被る場合があり、それにより、他のタイプの摩耗が生じる。したがって、風力タービンにおける摩耗作用は、ウィンドファームの中でもばらつきがあることが通常である。
【００１３】
次に、推定された摩耗作用に基づいて、それぞれの第２の動作位置に移転すべき少なくとも１つの風力タービンが特定される。例えば、風力タービンが、平均又は設計上の摩耗作用を上回る摩耗作用を受けたか又は将来的に受けることが予期される場合、風力タービンの第１の動作位置において予期される摩耗作用よりも低い摩耗作用が予期される動作位置に、風力タービンを移転することが望ましい場合がある。それにより、風力タービンにおける設計寿命にわたる総摩耗作用を低減することができるとともに、風力タービンの予期される寿命を維持又は増大させることができる。更に、第１の動作位置で動作している間の風力タービンの電力生産量は、設計上の電力生産量よりも高くなることが十分あり得るため、それにより、風力タービンの寿命の間の総電力生産量を向上することができる。
【００１４】
同様に、風力タービンが、平均又は設計上の摩耗作用よりも低い摩耗作用を受けたか又は将来的に受けることが予期される場合、風力タービンの第１の動作位置において予期される摩耗作用よりも高い摩耗作用が予期される動作位置に、風力タービンを移転することが望ましい場合がある。
【００１５】
次に、特定された各風力タービンを、第１の動作位置の係留機構から分離し、それぞれの第１の動作位置からそれぞれの第２の動作位置に移動させる。次いで、特定された各風力タービンは、その第２の動作位置における係留機構に接続され、風力タービンは、それぞれの第２の動作位置において動作する。
【００１６】
通例、洋上ウィンドファーム内の全ての風力タービンは、同時に廃止される（decommissioned）。そのため、本発明の方法によれば、推定された摩耗作用に基づいて風力タービンが移転される。それにより、例えば、ウィンドファーム中の風力タービンの均一な摩耗作用、ひいては均一な安全耐用寿命を得ることによって、ウィンドファームの寿命にわたる総電力生産量を向上することができる。
【００１７】
風力タービンのそれぞれにおける従前の及び／又は将来的に予期される摩耗作用を推定するステップは、主要な風向に対する風力タービンの動作位置の場所に基づくことができる。上述したように、到来する風に直面する風力タービンは、他の風力タービンの後流に配置された風力タービンよりも高い摩耗を受けることが予期される。したがって、主要な又は優勢な風向に直面するように配置された風力タービンは、他の風力タービンよりも高い摩耗作用を最も受けやすい。したがって、主要な風向に対する風力タービンの動作位置の場所は、（例えば、風力タービンの設置後の履歴データに基づいて）風力タービンにおいて予期される摩耗作用に関する有用な情報、及び（例えば、モデリングに基づいて）将来的に予期される摩耗作用に関する有用な情報をもたらす。
【００１８】
代替的又は付加的に、風力タービンのそれぞれにおける従前の及び／又は将来的に予期される摩耗作用を推定するステップは、風力タービンのそれぞれの生涯使用（量）を推定することを含むことができる。本件では、「生涯使用（量）」という用語は、風力タービンの設計寿命のうち、所与の時点までに使用された部分を意味するように解釈すべきである。風力タービンは、通常、例えば２０年という所与の設計寿命を有するように設計される。
【００１９】
風力タービンの生涯使用（量）は、実質的に線形となることが理想である。しかしながら、生涯使用（量）が予想される生涯使用（量）よりも高い期間と、生涯使用（量）が予想される生涯使用（量）よりも低い期間とが存在する場合がある。上述したように、風力タービンの、他の風力タービンに対する及び到来する風に対する位置は、風力タービンにおける摩耗作用、したがって生涯使用（量）に対し、顕著な影響を与える。
【００２０】
したがって、所与の風力タービンの生涯使用（量）が所与の時点で予期されるよりも低い場合、風力タービンの第１の動作位置における摩耗作用が低いことを示すことができ、したがって、この風力タービンを、より高い摩耗作用が予期され、それにより、生涯使用（量）がより高くなる動作位置に移転することが有利であり得る。
【００２１】
同様に、所与の風力タービンの生涯使用（量）が所与の時点で予期されるよりも高い場合、風力タービンの第１の動作位置における摩耗作用が高いことを示すことができ、したがって、この風力タービンを、より低い摩耗作用が予期され、それにより、生涯使用（量）がより低くなる動作位置に移転することが有利であり得る。
【００２２】
したがって、生涯使用（量）は、風力タービンにおける摩耗作用、特に従前の摩耗作用を推定するのに好適である。
【００２３】
従前の及び／又は将来的に予期される摩耗作用を推定するステップは、気象条件及び／又は海洋条件をモデリングすることと、モデリングに基づいて、将来的に予期される摩耗作用を推定することとを含むことができる。気象条件は、風速、風向、突風状態、ウィンドシア、気温、湿度等を含むことができる。海洋条件は、波の状態、海流の状態等を含むことができる。モデリングは、天気予報等に基づくことができる。
【００２４】
気象条件及び海洋条件は、風力タービンにおける摩耗作用に大きな影響を与える。したがって、風力タービンにおける将来的な摩耗作用を予測するために、そのような条件のモデリングを用いることが適切である。
【００２５】
適用されるモデルは、気象条件及び／又は海洋条件、及び摩耗作用、並びに、津波、台風、故障したコンポーネントによる影響、（火山性）粒子、昆虫又は渡り鳥の衝突イベント等の非常イベントに関する履歴データに基づくことができる。履歴の摩耗作用は、故障した又は動作中のコンポーネントの破壊分析又は非破壊分析に基づいて測定又は推定することもできる。１つの実施形態において、風力タービンにおける従前の及び／又は将来的に予期される摩耗作用を推定するステップは、これらの非常イベントのうちの１つが生じた後に実行することができる。
【００２６】
従前の及び／又は将来的に予期される摩耗作用を推定するステップは、それぞれの第１の動作位置及び／又はそれぞれの第２の動作位置において得られるセンサーデータに基づいて実行することができる。センサーデータは、例えば、それぞれの動作位置において動作する風力タービン上に取り付けられたセンサーによって得ることができる。センサーは、例えば、負荷センサー、歪みゲージ、温度センサー、風センサー、雨センサー等の形態とすることができる。この実施形態によれば、所与の風力タービンにおける摩耗作用は、風力タービンにおける実際の負荷を示す、又は風力タービンが受ける他の実際の条件を示すセンサーデータに基づいて推定することができる。
【００２７】
少なくとも１つの風力タービンを特定するステップは、高い摩耗作用を受ける少なくとも１つの風力タービンを特定することを含み、特定された各風力タービンを移動させるステップは、高い摩耗作用を有する少なくとも１つの風力タービンを、将来的に予期される摩耗作用が風力タービンの第１の動作位置において将来的に予期される摩耗作用よりも低い第２の動作位置に移動させることを含むことができる。
【００２８】
この実施形態によれば、第１の動作位置において高い摩耗作用を受けた風力タービン、例えば、高い生涯使用（量）を伴う風力タービンは、将来的により低い摩耗作用が予期される第２の動作位置に移動させることができる。それにより、風力タービンにおける総摩耗作用の増加率が、例えば、その風力タービンの設計寿命が得られる程度まで低減する。
【００２９】
代替的又は付加的に、少なくとも１つの風力タービンを特定するステップは、低い摩耗作用を受ける少なくとも１つの風力タービンを特定することを含むことができ、特定された各風力タービンを移動させるステップは、低い摩耗作用を有する少なくとも１つの風力タービンを、将来的に予期される摩耗作用が風力タービンの第１の動作位置において将来的に予期される摩耗作用よりも高い第２の動作位置に移動させることを含むことができる。
【００３０】
この実施形態によれば、第１の動作位置において低い摩耗作用を受けた風力タービン、例えば、低い生涯使用（量）を伴う風力タービンは、将来的により高い摩耗作用が予期される第２の動作位置に移動させることができる。それにより、風力タービンにおける総摩耗作用が、例えば、その風力タービンの設計寿命が得られる程度まで増加する。
【００３１】
本方法は、少なくとも１つの風力タービンにおけるメンテナンスを行うステップ、及び／又は少なくとも１つの風力タービンの少なくとも１つのコンポーネントを交換若しくはアップグレードするステップを更に含むことができる。メンテナンスは、例えば、風力タービンのドライブトレイン、発電機、ハブ、風力タービンブレード、タワー、電気コンポーネント等に対して行うことができる。１つ以上のドライブトレインコンポーネント、発電機、１つ以上の風力タービンブレード、ハブ等の風力タービンコンポーネントを、交換又はアップグレードすることができる。
【００３２】
メンテナンスを行うステップ及び／又は少なくとも１つのコンポーネントを交換若しくはアップグレードするステップは、風力タービンをそれぞれの第１の動作位置において動作させるステップの後、かつ風力タービンをそれぞれの第２の動作位置において動作させるステップの前に実行することができる。
【００３３】
この実施形態によれば、少なくとも１つのコンポーネントのメンテナンス及び／又は交換若しくはアップグレードは、風力タービンが第１の動作位置から第２の動作位置に移転されるため、風力タービンが動作していない間に行われる。それにより、少なくとも１つのコンポーネントのメンテナンス及び／又は交換若しくはアップグレードは、更なる電力生産損失を生じない。例えば、少なくとも１つのコンポーネントのメンテナンス及び／又は交換若しくはアップグレードは、風力タービンを第１の動作位置から第２の動作位置に移動させるステップの間に行うことができる。
【００３４】
少なくとも１つの風力タービンのそれぞれの第２の動作位置は、別の風力タービンのそれぞれの第１の動作位置とすることができる。この実施形態によれば、風力タービンのうちの少なくともいくつかを、例えば、摩耗作用が高い動作位置にある風力タービンと摩耗作用が低い動作位置にある風力タービンとの間で場所を入れ替えるようにして、ウィンドファーム内で移転させることができる。それにより、ウィンドファームの全ての風力タービンは、実質的に均一な総摩耗作用を受け、風力タービンは、実質的に同じ時点で損耗する可能性が最も高くなる。更に、ウィンドファームの総電力生産量が、向上又は更には最適化され得る。
【００３５】
本方法は、
少なくとも１つの風力タービンをそれぞれの第２の動作位置の係留機構から分離するステップと、
風力タービンをそれぞれの第２の動作位置からそれぞれの第３の動作位置に移動させるステップと、
風力タービンをそれぞれの第３の動作位置における係留機構に接続するステップと、
風力タービンをそれぞれの第３の動作位置において動作させるステップと、
を更に含むことができる。
【００３６】
この実施形態によれば、風力タービンのうちの少なくとも１つが、引き続いて第３の動作位置に移転される。第３の動作位置は、例えば、非常に低い摩耗作用が予期される動作位置とすることができ、第３の動作位置では、予期される寿命が近い又は寿命を超えた風力タービンが、低い電力出力及び低い摩耗作用で動作を続けることができる。
【００３７】
以下、本発明を、添付図面を参照して更に詳細に説明する。
【図面の簡単な説明】
【００３８】
【図１】第１の動作位置において動作する浮体式洋上風力タービンを示す図である。
【図２】第１の動作位置において係留機構から取り外されている、図１の浮体式洋上風力タービンを示す図である。
【図３】第１の動作位置から移動している、図１及び図２の浮体式洋上風力タービンを示す図である。
【図４】第２の動作位置に向かって移動している、図１〜図３の浮体式洋上風力タービンを示す図である。
【図５】本発明の一実施形態に係る方法に従って動作している２つの浮体式洋上風力タービンの時間の関数としての生涯使用（量）を示すグラフである。
【発明を実施するための形態】
【００３９】
図１〜図４は、本発明の一実施形態に係る方法のステップを示している。図１は、浮体式基礎２に取り付けられた浮体式洋上風力タービン１を示している。浮体式基礎２は、第１の動作位置において係留索３を介して係留機構に取り付けられている。係留索３の数、及びこれらの係留索３を海底に接続するのか他の構造体に接続するのかは、設計上の選択によって変わり、したがって、当業者によって最適化することができる。
【００４０】
風向は、矢印４によって示されている。風力タービン１の風力タービンブレード５に風が作用すると、ローター６の回転が引き起こされる。ローター６は、場合によってはギアシステムを介して発電機に接続され、それにより、ローター６の回転運動が電力の生産をもたらす。生産された電力は、必要に応じて変電所（図示せず）を介して電力網（図示せず）に供給される。したがって、図１の風力タービン１は、第１の動作位置において通常動作する。
【００４１】
風力タービン１の動作中、風力タービン１における摩耗作用が推定される。推定される摩耗作用は、これまでに受けた摩耗作用、すなわち、風力タービン１が既に受けた摩耗作用、及び／又は、将来的に予期される摩耗作用、すなわち、風力タービン１が第１の動作位置で動作を続けた場合に受けることが予期され得る摩耗作用を含むことができる。
【００４２】
推定された摩耗作用に基づいて、風力タービン１を第２の動作位置に移転させるか否かを判断する。例えば、従前の及び／又は将来的に予期される摩耗作用が、予期されるよりも、例えば、風力タービン１の予期される寿命の低減をもたらす程度まで高くなる場合、風力タービン１を、将来的に予期される摩耗作用が第１の動作位置におけるよりも低い第２の動作位置に移転させることが望ましい場合がある。
【００４３】
同様に、従前の及び／又は将来的に予期される摩耗作用が、予期されるよりも、例えば、風力タービン１の設計寿命を超える風力タービン１の予期される寿命をもたらす程度まで低くなる場合、風力タービン１を、将来的に予期される摩耗作用が第１の動作位置におけるよりも高い第２の動作位置に移転させることが望ましい場合がある。それにより、風力タービン１の設計寿命を超えることなく、風力タービン１の電力生産量を増大させることが可能になり得る。
【００４４】
図２は、第１の動作位置７における図１の浮体式洋上風力タービン１を示している。図２に示されている状況では、風力タービンを第２の動作位置に移転させることが決定されている。したがって、風力タービン１は、係留索３のうちの少なくともいくつかから取り外されており、そのため、風力タービン１は、第１の動作位置７から第２の動作位置に移動する準備ができている。
【００４５】
図３では、風力タービン１は、矢印８によって示されている方向に沿って第１の動作位置７から離れるように移動されている。したがって、風力タービン１は、第２の動作位置に向かう途中である。
【００４６】
図４では、風力タービン１は、第２の動作位置９に近づいている。風力タービン１が第２の動作位置９に到達すると、風力タービン１の浮体式基礎２は、第２の動作位置９の係留索３に取り付けられ、風力タービン１は、電力網への接続の後、第２の動作位置９において動作を開始する準備ができる。第２の動作位置９は、以前に別の風力タービンの動作に利用されていた場合があるが、そのことは要件とはならない。第２の動作位置が以前に別の風力タービンによって用いられていた場合、この風力タービンは、予め別の位置（必要に応じて、風力タービン１の第１の位置とすることができる）に移動しておくか、又は廃止することができる。
【００４７】
１つの実施形態において、第１の動作位置は、第１のウィンドファーム内にあり、第２の動作位置は、浮体式風力タービンのうちの少なくとも１つの第１のウィンドファームとは異なる第２のウィンドファーム内にある。これにより、例えば、第１のウィンドファームにおいて非常イベントを被った風力タービンを、別の非常イベントを被るリスクがはるかに低い別のウィンドファームに移動させることが可能になる。
【００４８】
図５は、２つの風力タービンの時間の関数としての生涯使用（量）を示すグラフである。風力タービンは、時間ｔ１において動作を開始する。曲線１０によって表される第１の風力タービンは、当初、風力タービンにおける摩耗作用が設計上の摩耗作用１２よりも高いそれぞれの第１の動作位置において動作する。したがって、この風力タービンの生涯使用（量）は、予想よりも高く、これらの動作条件下で、線１０ａを辿って風力タービンの動作を続けると、風力タービンは、時間ｔ４において早期に損耗してしまう。
【００４９】
曲線１１によって表される第２の風力タービンは、当初、風力タービンにおける摩耗作用が設計上の摩耗作用よりも低いそれぞれの第１の動作位置において動作する。したがって、この風力タービンの生涯使用（量）は、予想よりも低く、これらの動作条件下で、線１１ａを辿って風力タービンの動作を続けると、風力タービンは、設計寿命を超える時間ｔ５に達する。
【００５０】
時間ｔ２において、曲線１０及び１１によって表される風力タービンの生涯使用（量）が評価され、上述した設計生涯使用（量）からの偏差が特定される。その結果として、風力タービンをそれぞれの第２の動作位置に移転することが決定される。より詳細には、曲線１０によって表される風力タービンが、曲線１０ｂによって表される、将来的に予期される摩耗作用がこの風力タービンの第１の動作位置の将来的に予期される摩耗作用よりも低い第２の動作位置に移転される。同様に、曲線１１によって表される風力タービンは、曲線１１ｂによって表される、将来的に予期される摩耗作用がこの風力タービンの第１の動作位置の将来的に予期される摩耗作用よりも高い第２の動作位置に移転される。
【００５１】
したがって、曲線１０によって表される風力タービンの（生涯）使用（率）は、時間ｔ２から減少し、曲線１１によって表される風力タービンの（生涯）使用（率）は、時間ｔ２から増加する。
【００５２】
その結果として、曲線１０によって表される風力タービン及び曲線１１によって表される風力タービンは、時間ｔ３において設計寿命に達する。通例、洋上ウィンドファーム内の全ての風力タービンは、同時に廃止されるため、したがって、タービンが摩耗線１０及び１０ａを辿ることによってｔ４においてウィンドファームに早期に要求される廃止は、ｔ３まで引き延ばされ、廃止までのウィンドファームの寿命にわたるエネルギー生産量が大幅に増大することになる。
【図１】
2021527777.tif 000003
【図２】
2021527777.tif 000004
【図３】
2021527777.tif 000005
【図４】
2021527777.tif 000006
【図５】
2021527777.tif 000007
【国際調査報告】
2021527777.tif 000008
2021527777.tif 000009
2021527777.tif 000010